(57)【要約】  【課題】Sn−Ag系鉛フリーはんだ合金に比べてコスト面で優位であるが、ぬれ性の悪いSn−Cu系鉛フリーはんだ合金のぬれ性を改善して、安価ではんだ付け性の良好なはんだ合金を提供する。  【解決手段】Sn-0.1〜3 質量％Cuの鉛フリーはんだ合金に、 0.001〜0.1 質量％のＰを単独で、または 0.001〜0.1 質量％のGeと一緒に添加する。さらに強度改善元素として、Agおよび／またはSbを合計で４質量％以下を添加し、さらに必要によりNi、Co、Fe、Mn、CrおよびMoからなる群から選んだ１種以上を合計で0.5 質量％以下、添加してもよい。また、融点低下元素として、Bi、InおよびZnの少なくとも１種を合計で５質量％以下添加してもよい。【選択図】なし【特許請求の範囲】
【請求項１】
Cu0.1〜３質量％、Ｐ0.001〜0.1質量％、Agを２質量％以下、残部Snからなることを特徴とするゼロ・クロス時間で評価されるはんだぬれ性に優れた鉛フリーはんだ合金。
【請求項２】
前記はんだ合金に、さらにGe0.001〜0.1質量％を添加したことを特徴とするゼロ・クロス時間で評価されるはんだぬれ性に優れた請求項１記載の鉛フリーはんだ合金。
【請求項３】
Cu0.1〜３質量％、Ｐ0.001〜0.01質量％、Agを２質量％以下、Ni0.3質量％以下、残部Snからなることを特徴とする、ゼロ・クロス時間で評価されるはんだぬれ性に優れた鉛フリーはんだ合金。
【請求項４】
Cu0.1〜３質量％、Ｐ0.001〜0.01質量％、Ge0.001〜0.1質量％、Agを２質量％以下、Ni0.3質量％以下、残部Snからなることを特徴とする、ゼロ・クロス時間で評価されるはんだぬれ性に優れた鉛フリーはんだ合金。
【発明の詳細な説明】
【技術分野】
【０００１】
本発明は、鉛を使用しないはんだ合金に関する。特に、プリント基板に電子部品をはんだ付けする際に使用されるはんだ合金において、はんだ付け性に優れたはんだ合金に関する。
【背景技術】
【０００２】
家庭または企業で使用されている、テレビ、ビデオ、冷蔵庫、クーラーなどの家電製品、パソコン、プリンターなどの事務機器の電子機器類には、プリント基板が内蔵されている。プリント基板には多くの電子部品が使用されるが、プリント基板に電子部品を実装する際にはんだが使用される。
【０００３】
現在使用されているはんだは、電子部品やプリント基板に対する作業性を考慮して、作業温度が低く、はんだ付け性も良好で、昔からの実績のあるSn−Pbはんだが使用されている。特にSn63質量％−Pbのはんだは、Sn−Pbはんだの中でも溶融温度域の狭い共晶近傍の特性を示すため、Sn−Pb共晶はんだとして広く使用されている。共晶では、はんだは溶融温度域が存在しないため、溶融後瞬時に凝固する。はんだ付け時にはんだが溶融して凝固するまでの時間が長いと、基板搬送時のコンベアの振動を受けたり、取り扱い時の振動を受けることによりクラックが発生しやすくなるが、共晶近傍のはんだではこれらの影響が少なく、信頼性の高いはんだ付けが行われる。
【０００４】
一般に電子機器類は、故障したり、古くなって機能的に充分でなくなったりした場合には廃棄処分される。これらの電子機器類には、ケースのようなプラスチック製のもの、シャーシーのような金属製のもの、合成樹脂プリント基板のように合成樹脂と金属導体が混在するものが含まれている。そのうち、プリント基板は、金属とプラスチックが複雑に結合しており、リサイクルに適さないため、裁断処理され、安定型産業廃棄物として地中に埋め立て処理されることになる。
【０００５】
ところが近年、地中に埋め立て処分される電子機器類、中でもはんだが多用されるプリント基板が問題になっている。すなわち、化石燃料の多用から大気中に硫黄酸化物や窒素酸化物が原因で酸性化した酸性雨が地中に浸透し、埋め立てられたプリント基板から鉛などの有害金属を溶出させ、地下水を汚染し、この汚染された地下水を長年の間飲用したときに鉛中毒を起こす恐れがあると心配され、鉛を含まないはんだが求められている。
【０００６】
今までに開発された鉛フリーはんだは、Snを主成分にCu、Ag、Bi、Zn等の金属を添加したものである。鉛フリーはんだの代表的な組成としては、Sn−0.7 ％Cu、Sn−3.5 ％Ag、Sn−58％Bi、Sn−９％Znの２元合金の他、用途に応じてさらに添加金属元素を組み合わせて３元合金、またはそれ以上として用途に応じて使用されている。なお、本明細書では、合金組成に関する％は全て質量％である。
【０００７】
これらの鉛フリーはんだは、それぞれの合金ごとに問題を抱えている。例えば、Sn−９％ZnなどのSn−Zn系はんだでは、Znが非常に酸化しやすい元素であるため厚い酸化膜を形成しやすく、大気中でのはんだ付けでは、はんだ付け時のぬれ性が悪い。さらに、フローはんだ付けの場合は、ドロスが多く発生するので実用性には大きな困難が伴う。また、Sn−58％BiなどのSn−Bi系はんだは、フローはんだ付け時に発生するドロスは大きな問題とはならないものの、鉛フリーはんだにBiを用いることにより、延性に劣るBiの特徴が反映し、機械強度的に脆く、はんだ接合部の信頼性低下が懸念される。特に、Biの量が多いほど、機械的強度が脆くなる傾向は強まる。
【０００８】
現在、鉛フリーはんだで一番実用的と考えられているのが、Sn−0.7 ％CuなどのSn−Cu系、Sn−3.5 ％AgなどのSn−Ag系、およびSn−Ag系はんだにCuを少量添加したSn−Ag−Cu系はんだである。しかしながら、Sn−0.7 ％CuのようなSn−Cu系は、コスト面で安価であるがはんだ付け時のぬれ性が乏しい。一方、Sn−3.5 ％AgのようなSn−Ag系、及びSn−Ag系はんだにCuを少量添加したSn−Ag−Cu系はんだでは、はんだ付け時のぬれ性は比較的良い。また、Sn−Ag系およびSn−Ag−Cu系はんだは、機械的強度がSn−Pb系はんだと同等かそれ以上であり、鉛フリーはんだの中では特性面の優位を持っているが、高価なAgを含有しているのでコストが高くなり、コストダウンを狙ってAgの含有量を少なくすると、ぬれ性、はんだの合金強度が劣ってくる。
【発明の開示】
【発明が解決しようとする課題】
【０００９】
電子機器類におけるプリント基板に電子部品を実装する際には、電子部品やプリント基板に対する作業性を考慮して使用するはんだ合金を選定する。はんだ付け作業を行う際、はんだのぬれ性が悪いと、未はんだ、ブリッジ、ボイド等の欠陥が生じてしまうことがある。
【００１０】
前述のように、鉛フリーはんだで実用的な合金組成と考えられているSn−Cu系は、コスト面では、Sn−Pb系はんだの単価に近く、優位性を持っているが、残念なことに、はんだ付け時のぬれ性が乏しい。
【００１１】
本発明は、コスト面では優位であるが、一般的にぬれ性が乏しいSn−Cu系鉛フリーはんだにおいて、はんだ付け性が改善されたはんだ合金を提供することにある。
【課題を解決するための手段】
【００１２】
本発明者らは、Sn−Cu系鉛フリーはんだのはんだ付け性の向上について鋭意検討を重ねた結果、Sn−Cu系鉛フリーはんだにＰを添加した合金が、はんだ付け時のぬれ性が向上していることを見いだし、本発明を完成させた。このＰ添加によるはんだ付け時のぬれ性の改善効果は、ＰをGeと一緒に添加すると、さらに一層高まる。
【００１３】
本発明は、(1) Cu 0.1〜３ (質量) ％、Ｐ 0.001〜0.1 ％、残部Snからなることを特徴とする鉛フリーはんだ合金、ならびに(2) Cu 0.1〜３％、Ｐ 0.001〜0.1 ％、Ge 0.001〜0.1 ％、残部Snからなることを特徴とする鉛フリーはんだ合金、である。
【発明の効果】
【００１４】
本発明のはんだ合金は、価格的に優位なSn−Cu系であるにもかかわらず、はんだ付け性が良好で、安定したはんだ付け作業を可能とする。また、有害なPbを含有しない鉛フリーはんだであるため、この合金ではんだ付けされた電子機器類が故障や古くなって埋め立て廃棄されても、酸性雨によってPb成分が溶出せず、近年重要視されている環境問題にも適合したものである。
【発明を実施するための最良の形態】
【００１５】
Sn−Cu系鉛フリーはんだCuの存在は、はんだの機械的強度の向上に効果がある。本発明の鉛フリーはんだ合金において、Cuの含有量が0.1 ％より少ないとはんだの機械的強度向上に効果がなく、３％より多いとはんだの溶融温度を押し上げ、ぬれ性の低下、およびはんだ溶融時のドロス発生を生じ、はんだ付け作業に困難をきたす。Cuの含有量は好ましくは 0.3〜1.5 ％であり、より好ましくは 0.4〜1.0 ％である。
【００１６】
Ｐの添加量は、0.001 ％より少ないとはんだのぬれ性改善に効果がなく、0.1 ％より多いと、溶融はんだ面におけるはんだの粘性を増して、はんだの流動性を阻害し、はんだ付け作業に困難をきたす。これは、溶融はんだでのはんだ付け時にブリッジ等の欠陥として現れる。Ｐの含有量は、好ましくは 0.001〜0.05％であり、より好ましくは 0.001〜0.01％である。
【００１７】
Ｐに加えGeを添加すると、ぬれ性がさらに向上する。Geの添加量は、0.001 ％より少ないとはんだのぬれ性に効果がなく、0.1 ％より多いとＰと同様に溶融はんだ面におけるはんだの粘性を増して、はんだの流動性を阻害してはんだ付け作業に困難をきたす。
【００１８】
本発明のはんだ合金を溶融させると、ＰおよびGeは、溶融はんだ表面に薄く拡散するので、はんだ付け時にこれらの酸化物が溶融はんだの表面を覆って、大気との接触を遮断し、高温で溶融しているはんだの酸化を防止すると考えられる。このとき、Ｐの酸化物は溶融はんだの温度で昇華し易いが、Geの酸化物は溶融はんだの表面に長く留まるので、Geの添加量が多いと、はんだ付け作業を阻害し、未はんだ等のはんだ付け欠陥になり易い。そのためにも、Geの添加量は0.1 ％以下にする必要がある。Geの含有量は、好ましくは 0.001〜0.05％であり、より好ましくは 0.002〜0.03％である。
【００１９】
本発明のSn−Cu系鉛フリーはんだへのＰ、またはＰとGeの同時添加は、ぬれ性を向上させる効果があるが、はんだ合金としての機械的強度は向上させるものではない。Sn−Cu系鉛フリーはんだの機械的強度は、Sn−Ag、Sn−Ag−Cu系鉛フリーはんだに比較して一段劣る。この機械的強度は、Ｐ、またはＰとGeの添加によっても改善されるものではない。
【００２０】
そこで、本発明のはんだ合金を機械的強度が要求させる部位に使用する場合には、機械的特性を改善する元素を添加することができる。Sn−Cu系鉛フリーはんだの機械的強度を改善する元素として、Ag、Sb、Ni、Co、Fe、Mn、Cr、Mo等が有効であり、それらの１種または２種以上を添加することができる。これらの強度改善元素は、いずれもSnに固溶するか、あるいはSnと金属間化合物を形成し、機械的強度を向上させるが、添加量が多いと液相線温度が上昇し、はんだの流動性を阻害する。このため、Ag、Sbはその合計量が４％以下、特に3.5 ％以下；Ni、Co、Fe、Mn、Cr、Moは、その合計量が0.5 ％以下、特に0.3 ％以下となるようにすることが好ましい。
【００２１】
鉛フリーはんだの中で有望視されている、Sn−Cu系、Sn−Ag系、およびSn−Ag−Cu系はんだは、Sn−Pb系はんだに比較して溶融温度が高い。現在使用されている電子部品は、Sn−Pb系はんだを基準に設計されており、鉛フリーはんだでプリント基板に電子部品を搭載する場合は、動作不具合が起きる可能性がある。この場合は、本発明のはんだ合金にBi、In、Zn等の少なくとも１種の融点低下元素を添加することにより、溶融温度が下がり、動作不具合を抑制することができる。これらの元素のうち、Biは延性に劣り、機械強度的が脆い面があり、In、あるいはZnは酸化しやすい元素であるため酸化物を形成しやすく、溶融はんだ表面でのはんだ付けを阻害する。この点を考慮すると、Bi、In、Znの添加量は、その合計量が、はんだ全量の５％以下、特に３％以下であることが好ましい。
【００２２】
本発明の鉛フリーはんだ合金は、棒状、線状のはんだの他、リボン、ペレット、ディスク、ワッシャー、ボールなどの成形はんだや粉末への製品供給形態が可能である。粉末状のはんだ合金は、ソルダペーストの調製に利用できる。本発明の鉛フリーはんだ合金は、特にフロー法によるプリント基板のはんだ付けに有用である。
【００２３】
本発明の鉛フリーはんだ合金をフロー法による連続はんだ付けに長時間使用すると、浴組成が変動することがある。その場合には、不足する元素を、単独または他の成分との合金として添加することにより、浴組成を本発明の範囲内に調整することができる。
【実施例】
【００２４】
表１に示す組成の実施例および比較例のはんだ合金を用意した。これらのはんだ合金のぬれ性と機械的強度 (バルク強度) を次のようにして調べた。それらの試験結果も表１に併記する。
【００２５】
ぬれ性試験：ウェッティング・バランス法により、はんだ合金のぬれ性を調べた。使用する試験片は、Cu板（厚み0.3 ×幅lO×長さ30mm) に酸化処理を施したものである。この試験片の表面にはんだ付け用のフラックスを塗布し、250 ℃に加熱保持された溶融はんだ中に浸漬して、時間軸に対するぬれ曲線を得る。このぬれ曲線からゼロ・クロス時間を求め、ぬれ性を評価する。判断基準としては、ゼロ・クロス時間が２秒未満のものを優、２秒以上３秒未満のものを良、３秒以上のものを劣とする。
【００２６】
バルク強度試験：はんだの鋳造材に旋盤加工を施し、JIS Z 2201の４号試験片を得る。万能試験機を用いて試験片の標点間距離の約20％／min 相当のクロスヘッド速度にて引張り試験を行い、その最大応力を求め、バルク強度とした。
【００２７】
【表１】
2010029942.tif 000002
表１からわかるように、本発明に従って、Sn−Cuはんだ合金に、ＰまたはＰとGeを添加すると、ぬれ性が著しく改善される。